(57)【要約】  レーダシステムの用いられる発振器の発振周波数と変調帯域の両特性の温度補償を、発振部に印加する周波数制御電圧のみで実現する。  そのために、電圧制御発振器を、電圧制御発振部に入力する周波数制御電圧の発生部を複数備え、各発生部からの制御電圧を演算部に入力し、演算部により加算された電圧を電圧制御発振部に入力する構成とする。周波数制御電圧発生部は、それぞれ入力電圧端子と出力電圧端子を備え、サーミスタ等の温度により電気抵抗が変化する素子と、通常の抵抗素子により分圧回路を構成する。
2007052343.tif 000002
【特許請求の範囲】
【請求項１】
入力電圧端子と出力電圧端子とを具備してなる二つ以上の制御電圧発生部と、
前記二つ以上の制御電圧発生部からの出力電圧を加算する演算部と、
制御電圧により発振周波数が変化する制御電圧入力端子を有する電圧制御発振部とを具備して成り、
前記二つ以上の制御電圧発生部からの出力電圧を、前記演算部により演算した電圧が、電圧制御発振部に入力されることを特徴とするレーダシステム。
【請求項２】
請求項１において、
前記二つ以上の制御電圧発生部の内、少なくとも一つの制御電圧発生部の入力端子に入力される電圧は、所定の範囲内で任意に変化することを特徴とするレーダシステム。
【請求項３】
請求項１において、
前記二つ以上の制御電圧発生部の内、少なくとも一つの制御電圧発生部は、
温度により電気抵抗が変化する素子と、抵抗素子を具備して成る分圧回路であって、その制御電圧発生部への入力電圧とその制御電圧発生部からの出力電圧との比が、温度により変化することを特徴とするレーダシステム。
【請求項４】
請求項１において、
前記演算部は、オペアンプと、そのオペアンプの二つ以上の入力端子に接続された入力抵抗と、前記入力端子とそのオペアンプ出力端子とに接続された抵抗とを具備してなる加算回路であることを特徴とするレーダシステム。
【請求項５】
請求項１において、
前記電圧制御発振部に入力される制御電圧が、その電圧制御発振部の共振回路に接続されたバラクタダイオードのアノード電極またはカソード電極に印加されることを特徴とするレーダシステム。
【請求項６】
請求項３において、
前記温度により電気抵抗が変化する素子は、サーミスタであることを特徴とするレーダシステム。
【請求項７】
請求項３において、
前記温度により電気抵抗が変化する素子は、ショットキーダイオードであることを特徴とするレーダシステム。
【請求項８】
請求項１において、
前記二つ以上の制御電圧発生部の内、一つの制御電圧発生部は、温度に関わらず一定の電圧を発生する電圧源であって、
他の一つの制御電圧発生部は、温度によって変化する電圧を発生する電圧源であって、
前記演算部により加算した電圧が、前記電圧制御発振部の制御電圧として、前記電圧制御発振部の特性に従い温度の変化に伴う発振周波数の変動が少なくなるように印加されることを特徴とするレーダシステム。
【請求項９】
請求項１において、
前記二つ以上の制御電圧発生部の内、一つの制御電圧発生部は、温度に関わらず一定の電圧を発生する電圧源であって、
他の一つの制御電圧発生部は、温度によって変化する電圧を発生する電圧源であって、
前記演算部により加算した電圧が、前記電圧制御発振部の制御電圧として、前記電圧制御発振部の特性に従い温度の変化に対して、変調帯域の変動が少なくなるように印加されることを特徴とするレーダシステム。
【請求項１０】
少なくとも二つ以上の制御電圧発生部と、
前記制御電圧発生部が発生させる電圧を加算して出力する演算部と、
前記演算部の出力を制御電圧とする電圧制御発振部とを具備して成り、
前記制御電圧発生部には、発生する電圧が温度によって変化する第一の制御電圧発生部と、前記第一の制御電圧発生部とは別の第二の制御電圧発生部とが含まれ、
前記演算部は、前記第一の制御電圧発生部が発生させる電圧と前記第二の制御電圧発生部が発生させる電圧とを加算して出力し、その出力電圧を前記電圧制御発振部の制御電圧とすることを特徴とする電圧制御発振器。
【請求項１１】
請求項１０において、
前記第一の制御電圧発生部は、サーミスタと抵抗が並列に接続して成る部分を有することを特徴とする電圧制御発振器。
【請求項１２】
請求項１０において、
前記第一の制御電圧発生部は、ショットキーダイオードを具備して成ることを特徴とする電圧制御発振器。
【請求項１３】
請求項１０において、
前記演算部は、前記第一の制御電圧発生部からの電圧と前記第二の制御電圧発生部からの電圧を入力するオペアンプを具備して成ることを特徴とする電圧制御発振器。
【請求項１４】
請求項１０において、
前記第二の制御電圧発生部は、温度によって発生する電圧が変化しないことを特徴とする電圧制御発振器。
【請求項１５】
請求項１０において、
全ての電圧制御発振部が、温度によって発生する電圧を変化させることを特徴とする電圧制御発振器。
【請求項１６】
少なくとも二つ以上の制御電圧により発振周波数が変化する制御電圧発生部と、
前記制御電圧部の電圧の加算して出力する演算部と、
前記演算部の出力を制御電圧とする電圧制御発振部とを具備して成り、
前記制御電圧発生部の内で、少なくとも一つは、温度によって発生する電圧を変化させる第一の制御電圧発生部であって、
前記演算部の出力する前記電圧制御発振部の制御電圧は、前記電圧制御発振部の温度の変化に伴う発振周波数の変動が少なくなるように調整することを特徴とする電圧制御発振器。
【請求項１７】
請求項１６において、
前記演算部により加算した電圧が、前記電圧制御発振部の制御電圧として、前記電圧制御発振部の特性に従い温度の変化に対して、変調帯域の変動が少なくなるように印加されることを特徴とする電圧制御発振器。
【請求項１８】
請求項１６において、
前記電圧制御発振部が、低温のときに発振周波数が大きく、高温のときに発振周波数が小さいことを特徴とする電圧制御発振器。
【請求項１９】
請求項１６において、
前記電圧制御発振部が、低温のときに発振周波数が小さく、高温のときに発振周波数が大きいことを特徴とする電圧制御発振器。
【請求項２０】
請求項１６において、
前記二つ以上の制御電圧発生部の内で、
二つの温度によって発生する電圧を変化させる制御電圧発生部と、
一つの温度によって発生する電圧が変化しない制御電圧発生部とを具備してなり、
前記二つの温度によって発生する電圧を変化させる制御電圧発生部の出力電圧の和が、常温の近傍において極小値または極大値のいずれか一方を有することを特徴とする電圧制御発振器。
【発明の詳細な説明】
【技術分野】
【０００１】
本発明は、電圧制御発振器およびそれを用いたレーダシステムに係り、特にマイクロ波またはミリ波を利用するレーダシステムであって、発振特性の温度補償をして温度の変化によらず安定して動作するレーダシステム、およびそれに用いて好適な電圧制御発振器に関する。
【背景技術】
【０００２】
ミリ波、または、マイクロ波帯域の電波を利用するレーダシステムは、自動車搭載用の近距離監視のためのレーダシステムとして、例えば、自動車搭載用の近距離監視レーダシステムは、衝突予測やプリクラッシュ型エアバッグ用センサなどの用途が考えられ、その応用が期待されている。【０００３】
この自動車搭載用の近距離監視レーダシステムは、距離・相対速度を高める必要があり、発振周波数を従来の３０ＭＨｚから６０ＭＨｚから広げる必要がある。それに伴って、温度により変調帯域が変動することが問題になってくる。【０００４】
レーダシステムに用いられる電圧制御発振器において、温度により発振周波数と変調帯域を補償する電圧制御発振器については、以下の特許文献１と特許文献２が開示されている。【０００５】
特許文献１には、電圧制御発振部へのリニアリティ最良点における制御電圧の温度ドリフト補償回路と、電圧制御発振部それ自身の温度ドリフト補償回路を設け、電圧制御発振部の発振周波数に対する温度補償をおこなう技術が開示されている。【０００６】
また、特許文献２には、発振周波数に加えて変調帯域の温度補償をおこなう技術が開示されている。この電圧制御発振器では、発振周波数の温度補償を共振回路に接続されたバラクタダイオードに入力される制御電圧を、サーミスタと抵抗素子により構成された分圧回路を経由して入力することにより実現し、変調帯域の温度補償は、発振動作をおこなう能動素子のバイアス電圧を分圧回路を経由して印加することにより実現する。【０００７】
【特許文献１】特開平７−２５４８１８号公報
【特許文献２】特開平１１−５５０３４号公報
【発明の開示】
【発明が解決しようとする課題】
【０００８】
先ず、図１７および図１８を用いて従来技術に係るレーダシステムの構成と動作について説明する。
図１７は、従来技術に係るレーダシステムの構成図である。
図１８は、従来技術に係るレーダシステムの時間と発振周波数の関係を示したグラフである。【０００９】
ミリ波、またはマイクロ波帯域の電波を利用するレーダシステムは、図１７に示されるように、電圧制御発振部３からの出力信号は２分され、一方は増幅器２０を経由した送信信号としてアンテナに入力される。他の一方の信号はローカル信号としてミクサ２１に入力される。そして、目標物で反射した信号は受信アンテナからの受信信号として増幅器２０を経由してミクサ２１のＲＦ端子に入力される。受信信号は目標物の移動速度に応じたドップラーシフトによりその周波数が変化しており、ミクサ２１によってローカル信号とＲＦ信号の周波数の差に応じた中間周波数(ＩＦ)信号が出力され、目標物の移動速度を求めることができる。また、目標物までの距離は、送信信号の周波数を図１８に示すように変調させ、送信信号と受信信号の変調周波数の時間差を利用して求めることができる。電圧制御発振部３には制御電圧２２が入力され、その電圧値に応じて出力周波数がｆosc1からｆosc2まで変化する構成となっている。目標物の移動速度と距離を安定して求めるためには、発振周波数と、周波数の変調帯域fmの変動を極力小さくする必要がある。しかしながら、環境温度により発振周波数や変調帯域は変動する恐れがあり、何らかの方法により補償する必要がある。【００１０】
次に、図１３ないし図１６を用いて従来技術に係るレーダシステムの電圧制御発振部の温度補償技術について説明する。
図１３は、従来技術に係るレーダシステムの電圧制御発振部の回路図である。
図１４は、発振周波数の制御電圧と変調特性として、発振周波数の温度補償前と温度補償後の変化を対比したグラフである。
図１５は、温度補償前と温度補償後の変化を対比して、温度と発振周波数の関係を示したグラフである。
図１６は、温度補償部を持たない電圧制御発振部の変調特性を説明したグラフである。【００１１】
電圧制御発振部の発振周波数の温度補償の方法としては、図１３に示すように、温度に応じて抵抗値が変化するサーミスタ１０と、通常の抵抗素子１１ａ、１１ｂにより分圧回路を構成し、温度に応じて電圧制御発振部のバラクタダイオード５に入力される制御電圧Ｖｃｔｒｌが変化するように構成した回路が用いられる。この例では発振動作をおこなう能動素子６のゲート端子に負性抵抗を発生させる素子８が接続され、ソース端子には結合線路９と共振器４から構成される共振回路が接続される。結合線路９に接続されたバラクタダイオード５に入力されるＶｃｔｒｌに応じて、その等価容量の変化に応じて共振回路の共振周波数も変化し、整合回路７を経由して出力される発振信号の周波数を変化させることができる。電圧制御発振部の変調特性が、図１４のように表されるとする。図の横軸はバラクタダイオード５に入力されるＶｃｔｒｌであり、右端を０Ｖとする負の値をとる。縦軸は発振周波数を示し、低温、常温、高温における変調特性はそれぞれカーブＡ、Ｂ、Ｃのように変化する。サーミスタ１０を含む分圧回路を使わずに一定のＶｃｔｒｌを印加すれば、発振周波数の温度による変化の大きさはΔｆｏｓｃ′となるが、上述の分圧回路を経由してＶｃｔｒｌを印加すると、低温においてバラクタダイオード５に印加される電圧を小さくできるため、発振周波数の温度による変化量をΔｆｏｓｃにまで小さくすることができる。よって発振周波数の温度特性は、図１５に示すようになり、温度補償が実現される。【００１２】
また、発振周波数に加えて変調帯域の温度補償をおこなうには、上記の特許文献２に開示された方法が知られている。【００１３】
この方法によれば、発振周波数と変調帯域の両者の温度補償が可能であるが、発振動作を行なう能動素子のバイアス電圧を温度に応じて変化させる構成であるため、発振出力や位相雑音などの性能が大きく変動し、発振器の動作が不安定になる可能性があるという問題がある。【００１４】
本発明は、上記問題点を解決するためになされたもので、その目的は、ミリ波、またはマイクロ波帯域の電波を利用するレーダシステムの電圧制御発振部において、温度による発振周波数と変調帯域の変動を補償し、発振出力の変動や位相雑音が少なく安定して動作しうる電圧制御発振部を提供することにある。
【課題を解決するための手段】
【００１５】
本発明では、レーダシステムに組み込まれた電圧制御発振部のバラクタダイオードに入力する周波数制御電圧の発生部を複数備え、各発生部からの制御電圧を演算部に入力し、演算部により加算された電圧をバラクタダイオードに入力することにより、発振周波数と変調帯域の両者の温度変動を補償する方法を提供するものである。【００１６】
例えば、その内の一つの周波数制御電圧の発生部は、温度により抵抗が変化するサーミスタで構成し、温度の変化に応じて、出力電圧を変化するようにする。また、その内の一つの周波数制御電圧の発生部は、温度よっても出力電圧が変化しない定電源で構成する。【００１７】
そして、それらの電圧を演算部で加算し、電圧制御発振部の制御電圧と温度特性に従って、温度の変化があっても発振周波数の変化が少ないように、また、バラクタダイオードに印加される電圧の変動範囲を、変調帯域の温度変動が最小となる範囲に設定する。
【発明の効果】
【００１８】
本発明によれば、ミリ波、またはマイクロ波帯域の電波を利用するレーダシステムの電圧制御発振部において、温度による発振周波数と変調帯域の変動を補償し、発振出力の変動や位相雑音が少なく安定して動作しうる電圧制御発振器を提供することができる。
【発明を実施するための最良の形態】
【００１９】
以下、本発明に係る各実施形態を、図１ないし図１２、および、図１６を用いて説明する。
【実施例１】
【００２０】
以下、本発明に係る第一の実施形態を、図１ないし図４を用いて説明する。
図１は、本発明に係る電圧制御発振器の機能構成を示すブロック図である。
図２は、本発明の第一の実施形態に係る電圧制御発振器の回路構成を示す回路図である。
図３は、本発明の第一の実施形態に係る制御電圧発生部の入力電圧と出力電圧の電圧比の温度特性を示す図である。
図４は、本発明の第一の実施形態に係る電圧制御発振部の制御電圧と発振周波数の温度特性を示す図である。【００２１】
本発明の第一の実施形態に係る電圧制御発振器は、図１に示されるように、電圧制御発振部３に周波数を制御するための電圧を入力し、この電圧値に応じた発振周波数を持つ信号が出力される構成となっている。電圧制御発振部３に入力される周波数制御電圧は、演算部２とその前段に接続された複数の制御電圧発生部１ａ，１ｂ等から生成される。そして制御電圧発生部１ａ，１ｂ等のうち、少なくとも１つに入力される電圧Ｖｉｎは、電圧制御発振部３を変調動作させるために所定の範囲内で変化させる。【００２２】
この図１に示した電圧制御発振器を、回路によって実現すると図２に示されるようになる。図２に示された電圧制御発振器では、図１に示した制御電圧発生部として制御電圧発生部１ａと制御電圧発生部１ｂの二つを備え、そのうち制御電圧発生部１ａは、サーミスタ１０と抵抗素子１１ａ，１１ｂから構成される分圧回路により構成される。そして、制御電圧発生部１ｂは、一定の電圧を出力するための電源のみから構成される。また、演算部２は、オペアンプ１２と抵抗素子Ｒ１，Ｒ２からなる反転加算器で構成される。Ｒ１とＲ２が同じ抵抗値の場合、演算部２は等倍反転加算器として機能する。電圧制御発振部３は、発振動作をおこなう能動素子６のゲート端子に負性抵抗を発生させる素子８が接続され、ソース端子には、結合線路９と共振器４から構成される共振回路が接続される。結合線路９に接続されたバラクタダイオード５に入力されるＶｃｔｒｌは、上記の演算部２から印加され、 Ｖｃｔｒｌの変化により、バラクタダイオード５の等価容量を変化させる。そして、バラクタダイオード５の等価容量の変化に応じて共振回路の共振周波数も変化し、整合回路７を経由して出力される発振信号の周波数を変化させる。なお、図２では、バラクタのアノードに制御電圧が印加されているが、カソードに制御電圧が印加される構成をとってもよい。【００２３】
次に、図２に示した電圧制御発振器の詳細な動作を温度との関連で説明する。【００２４】
第一の制御電圧発生部１ａへの入力電圧Ｖｉｎ１と出力電圧Ｖｏｕｔ１との比の温度特性が、図３のように示されるとする。そして、第二の制御電圧発生部１ｂでは、一定の正の電圧Ｖｏｆｆｓｅｔが発生しているとする。電圧制御発振部３へ印加される制御電圧Ｖｃｔｒｌによる変調特性が、図４に示すように低温、常温、高温においてそれぞれカーブＡ、Ｂ、Ｃのように変化する場合を考える。先ず、低温では第一の制御電圧発生部１ａからの出力電圧Ｖｏｕｔ１は、入力電圧Ｖｉｎ１の０．３倍程度の大きさである。よってＶｉｎ１に０ＶからＶｃｔｒｌ２までの正の範囲で変動する電圧を印加した場合、バラクタダイオード５にはＶｃｔｒｌ２が約０．３倍された値とＶｏｆｆｓｅｔが加算されて符号が反転したカーブＡ上の矢印の範囲内の電圧が印加される。このときの変調帯域は、ｆｍ１となる。そして温度が上昇すると１ａのからの出力電圧比は０．８程度にまで大きくなる。このときバラクタダイオード５には、Ｖｃｔｒｌ２が約０．８倍された値とＶｏｆｆｓｅｔが加算されて符号が反転した、カーブＣ上の矢印の範囲内の電圧が印加され、変調帯域はｆｍ３となる。この例では温度の上昇に伴って変調カーブの傾きが小さくなるため、高温になるほど１ａの分圧比が大きくなる構成とすることで、低温から高温までの変調帯域ｆｍ１，ｆｍ２，ｆｍ３をほぼ同じにすることができる。これを図１６に示した、温度補償部を一切用いずに一定の負の電圧範囲Ｖｃｔｒｌ1からＶｃｔｒｌ２を印加した場合の変調特性と比較すると、変調カーブの温度による変化を反映し、変調帯域ｆｍ１，ｆｍ２，ｆｍ３が変動することがわかる。また、図４に示した発振周波数の温度変動の大きさΔｆｏｓｃも、印加電圧範囲が各温度の変調カーブが密になっている領域であるため、図１６と比較して小さくすることができる。本実施形態において、一定の電圧を印加する制御電圧発生部１ｂを設けることにより、バラクタダイオード５には常にＶｏｆｆｓｅｔよりも大きい電圧が印加されることになる。バラクタダイオードに印加される電圧が小さくなるとその等価抵抗が大きくなり、電圧制御発振器の共振回路の損失が大きくなる。よって、発振器を安定して動作させるためには、バラクタダイオードへの印加電圧が必要以上に小さくなることは避けるべきである。以上の理由によりＶｏｆｆｓｅｔを印加することにより、発振器の動作が不安定になることを防止できる。かつ、Ｖｏｆｆｓｅｔの値を調整することで、バラクタダイオードへの印加電圧の変動範囲を、変調帯域の温度変動が最小となる範囲に設定することが可能となる。
【実施例２】
【００２５】
以下、本発明に係る第二の実施形態を、図５および図６を用いて説明する。
図５は、本発明の第二の実施形態に係る電圧制御発振器の回路構成を示す回路図である。
図６は、本発明の第二の実施形態に係る電圧制御発振部の制御電圧と発振周波数の温度特性を示す図である。【００２６】
第一の実施形態で説明したのは、電圧制御発振部の発振周波数が温度の上昇に伴い低くなり、かつ、変調カーブの傾きが小さくなる例であるが、発振周波数と変調カーブの傾きの温度係数の符号の組み合わせに関わらず、回路の構成を変更することにより本発明は適用可能である。本実施形態は、その一例であり、第一の実施形態とは、電圧制御発振部の発振周波数と変調カーブのパターンが異なったものである。この例では、電圧制御発振器の発振周波数が温度の上昇に伴い高くなり、かつ変調カーブの傾きが大きくなる場合を示している。このような温度特性を持つ電圧制御発振器の発振周波数と変調帯域の温度補償をおこなうには、サーミスタ１０と抵抗素子１１ａ，１１ｂから構成される分圧回路を、第一の実施形態の図２に示した回路とは逆に、その分圧比が温度の上昇に伴い減少する構成として、入力電圧Ｖｉｎ１に０Ｖから−Ｖｃｔｒｌ２までの負の電圧を印加する。そしてＶｏｆｆｓｅｔは図６に示すように、図３よりも大きい電圧に設定してＶｃｔｒｌに制御電圧を印加する構成とすることにより、発振周波数と変調帯域の温度による変動を小さくすることができる。
【実施例３】
【００２７】
以下、本発明に係る第三の実施形態を、図７および図８を用いて説明する。
図７は、本発明の第三の実施形態に係る電圧制御発振器の回路構成を示す回路図である。
図８は、本発明の第三の実施形態に係る電圧制御発振部の制御電圧と発振周波数の温度特性を示す図である。【００２８】
実施形態１および実施形態２は、温度により出力電圧が変化する制御電圧発生部と定電源の制御電圧発生部との組合わせであったが、本実施形態は、共に温度により出力電圧が変化する制御電圧発生部の発生した電圧が演算部２に入力される構成である。【００２９】
本実施形態の回路は、図７に示されるように、二つの制御電圧発生部１ａ，１ｂが共にサーミスタ１０，１０ａおよび抵抗素子１１ａから１１ｄからなる分圧回路から構成され、制御電圧発生部１ａに入力される電圧Ｖｉｎ１はある所定の範囲内で変動し、制御電圧発生部１ｂに入力される電圧Ｖｉｎ２は一定の値に固定される。２つの制御電圧発生部からの出力電圧Ｖｏｕｔ１およびＶｃｏｕｔ２が演算部に入力され、両電圧を加算した電圧の符号が反転されて電圧制御発振部３のバラクタダイオード５に印加される。この実施形態では、図４の第一の実施形態の回路と比較すると、一定の電圧Ｖｏｆｆｓｅｔを印加した第二の制御電圧発生部１ｂとして、温度に伴い出力電圧が変化する分圧回路を経由して、演算部２に印加させる構成となっている。この構成によれば図８に示したように、実線で示したＶｏｕｔ２が温度により変化するため、変調帯域の温度補償に加えて、発振周波数の温度変動Δｆｏｓｃを、第一の実施形態よりもさらに小さくすることが可能になる。
【実施例４】
【００３０】
以下、本発明に係る第四の実施形態を、図９ないし図１１を用いて説明する。
図９は、本発明の第四の実施形態に係る電圧制御発振器の回路構成を示す回路図である。
図１０は、本発明の第四の実施形態に係る制御電圧発生部の入力電圧と出力電圧の電圧比の温度特性を示す図である。
図１１は、本発明の第四の実施形態に係る電圧制御発振部の制御電圧と発振周波数の温度特性を示す図である。【００３１】
以上の実施形態は、いずれも制御電圧発生部が二つであったが、本実施形態は、それ以上の制御電圧発生部を持つものである。【００３２】
本実施形態の回路は、図９に示されるように、三つの制御電圧発生部１ａ，１ｂ，１ｃを備え、制御電圧発生部１ａと制御電圧発生部１ｂは、共にサーミスタと抵抗素子からなる分圧回路から構成され、制御電圧発生部１ｃは一定のＶｏｆｆｓｅｔを出力する構成となっている。制御電圧発生部１ａおよび制御電圧発生部１ｂの分圧回路の分圧比の温度特性は、図１０に示すように互いに逆の傾きを持っており、両者の合成電圧Ｖｏｕｔ１＋Ｖｏｕｔ２は極小値を持つ特性となっている。このような温度特性を持つ制御電圧発生部と、Ｖｏｆｆｓｅｔが加算された電圧を反転した電圧をバラクタダイオード５に印加することにより、電圧制御発振部３の変調特性の傾きが、図１１に示すように中間の温度において大きく、低温と高温で共に小さい場合に、変調帯域の温度補償をおこなうことができる。【００３３】
以上説明したように、本実施形態の制御電圧発生部１ａ，１ｂの分圧回路の分圧比の温度特性を適当に調整することにより、変調帯域の温度特性が極大点・極小点を持つ場合においても、温度補償をおこななうことができる。また、図９の回路をさらに拡張し、制御電圧発生部をさらに多く備えることにより、温度によるより微小な変調帯域の変動を補償することも可能になる。
【実施例５】
【００３４】
以下、本発明に係る第五の実施形態を、図１２を用いて説明する。
図１２は、本発明の第五の実施形態に係る電圧制御発振器の回路構成を示す回路図である。【００３５】
以上の実施形態は、いずれも温度により出力電圧が変化する制御電圧発生部は、サーミスタ１０と抵抗素子からなる分圧回路を用いる例であったが、温度によりその電気抵抗が変化する特性を備える素子であれば、サーミスタ以外の素子を用いることができる。本実施形態では、制御電圧発生部１ａは、ショットキーダイオード１３と抵抗素子１１ａからなる分圧回路を備える。入力電圧Ｖｉｎ１を印加することにより、温度により変化する分圧比を反映した出力電圧Ｖｏｕｔ１が演算部２に入力され、図２に示した第一の実施形態の場合の回路と同じ効果を得ることができる。
【図面の簡単な説明】
【００３６】
【図１】本発明に係る電圧制御発振器の機能構成を示すブロック図である。
【図２】本発明の第一の実施形態に係る電圧制御発振器の回路構成を示す回路図である。
【図３】本発明の第一の実施形態に係る制御電圧発生部の入力電圧と出力電圧の電圧比の温度特性を示す図である。
【図４】本発明の第一の実施形態に係る電圧制御発振部の制御電圧と発振周波数の温度特性を示す図である。
【図５】本発明の第二の実施形態に係る電圧制御発振器の回路構成を示す回路図である。
【図６】本発明の第二の実施形態に係る電圧制御発振部の制御電圧と発振周波数の温度特性を示す図である。
【図７】本発明の第三の実施形態に係る電圧制御発振器の回路構成を示す回路図である。
【図８】本発明の第三の実施形態に係る電圧制御発振部の制御電圧と発振周波数の温度特性を示す図である。
【図９】本発明の第四の実施形態に係る電圧制御発振器の回路構成を示す回路図である。
【図１０】本発明の第四の実施形態に係る制御電圧発生部の入力電圧と出力電圧の電圧比の温度特性を示す図である。
【図１１】本発明の第四の実施形態に係る電圧制御発振部の制御電圧と発振周波数の温度特性を示す図である。
【図１２】本発明の第五の実施形態に係る電圧制御発振器の回路構成を示す回路図である。
【図１３】従来技術に係るレーダシステムの電圧制御発振部の回路図である。
【図１４】発振周波数の制御電圧と変調特性として、発振周波数の温度補償前と温度補償後の変化を対比したグラフである。
【図１５】温度補償前と温度補償後の変化を対比して、温度と発振周波数の関係を示したグラフである。
【図１６】温度補償部を持たない電圧制御発振部の変調特性を説明したグラフである。
【図１７】従来技術に係るレーダシステムの構成図である。
【図１８】従来技術に係るレーダシステムの時間と発振周波数の関係を示したグラフである。
【符号の説明】
【００３７】
１ａ，１ｂ…制御電圧発生部、２…演算部、３…電圧制御発生部、４…共振器、５…バラクタダイオード、６…能動素子（ＦＥＴ）、７…整合回路、８…負性抵抗発生素子、９…結合線路、１０…サーミスタ、１１ａ，１１ｂ…抵抗素子、１２…オペアンプ、１３…ショットキーダイオード。
【図１】
2007052343.tif 000003
【図２】
2007052343.tif 000004
【図３】
2007052343.tif 000005
【図４】
2007052343.tif 000006
【図５】
2007052343.tif 000007
【図６】
2007052343.tif 000008
【図７】
2007052343.tif 000009
【図８】
2007052343.tif 000010
【図９】
2007052343.tif 000011
【図１０】
2007052343.tif 000012
【図１１】
2007052343.tif 000013
【図１２】
2007052343.tif 000014
【図１３】
2007052343.tif 000015
【図１４】
2007052343.tif 000016
【図１５】
2007052343.tif 000017
【図１６】
2007052343.tif 000018
【図１７】
2007052343.tif 000019
【図１８】
2007052343.tif 000020
【国際調査報告】
2007052343.tif 000021
2007052343.tif 000022
2007052343.tif 000023
2007052343.tif 000024
2007052343.tif 000025
2007052343.tif 000026
2007052343.tif 000027